(57)【要約】【課題】録画装置において、周期的に放送されるＴＶ番組を周期的に予約録画する場合に、このＴＶ番組の次回の放送時間の変更を容易に知ることができる。【解決手段】ＢＤレコーダは、予約設定情報に記憶された周期的に予約録画するＴＶ番組の予約録画時間を取得すると共に（Ｓ１）、このＴＶ番組の番組タイトルを取得し（Ｓ２）、このＴＶ番組の前回の予約録画時間付近に放送されるＴＶ番組情報と、番組情報に含まれる、このＴＶ番組の次回の予約録画時間付近に放送されるＴＶ番組情報とを含む番組リストを生成する。そして、ＢＤレコーダは、周期的に予約録画するＴＶ番組の番組タイトルと、次回の予約録画時間に放送されるＴＶ番組の番組タイトルとが同一であるか否かを判断し（Ｓ４）、番組タイトルが同じでない場合（Ｓ５でＮＯ）、筐体外部に設けられたＬＥＤ部を点滅させ、ユーザに次回の番組タイトルが異なる旨を知らせる（Ｓ６）。【選択図】図４
2012235347.tif 000002
【特許請求の範囲】
【請求項１】
放送局から放送されるテレビジョン番組の放送時間と番組タイトルとを含む番組情報を取得する番組情報取得手段と、
周期的に放送されるテレビジョン番組を周期的に予約録画するための、予約録画時間を含む予約設定情報を記憶する予約設定記憶手段と、
各種メッセージをユーザに報知する報知手段と、
装置各部を制御する制御手段とを備える録画装置において、
前記予約設定記憶手段に記憶された前記周期的に予約録画するテレビジョン番組の予約録画時間と、前記番組情報取得手段を用いて取得した番組情報に含まれる、該周期的に予約録画するテレビジョン番組に対応する番組の次回の放送時間とが同一であるか否かを判断する番組時間判断手段と、
前記予約設定記憶手段に記憶された前記周期的に予約録画するテレビジョン番組の予約録画時間付近に放送されるテレビジョン番組の情報と、前記番組情報取得手段を用いて取得した番組情報に含まれる、該周期的に予約録画するテレビジョン番組の次回の予約録画時間付近に放送されるテレビジョン番組の情報とを含む番組リストを表示する番組リスト表示手段とをさらに備え、
前記制御手段は、前記番組時間判断手段によって、前記周期的に予約録画するテレビジョン番組の予約録画時間と、前記番組情報に含まれる、このテレビジョン番組に対応する番組の次回の放送時間とが同一ではないと判断された場合に、前記報知手段を用いて、ユーザに該周期的に予約録画するテレビジョン番組の次回の予約録画時間と、このテレビジョン番組に対応する番組の次回の放送時間とが同一ではない旨を報知することを特徴とする録画装置。
【請求項２】
前記予約設定記憶手段に記憶された前記周期的に予約録画するテレビジョン番組の番組タイトルと、前記番組情報取得手段を用いて取得した番組情報に含まれる、該周期的に予約録画するテレビジョン番組の次回の予約録画時間に放送されるテレビジョン番組の番組タイトルとが同一であるか否かを判断する番組タイトル判断手段をさらに備え、
前記制御手段は、前記番組タイトル判断手段によって、前記周期的に予約録画するテレビジョン番組の番組タイトルと、前記番組情報に含まれる、該周期的に予約録画するテレビジョン番組の次回の予約録画時間に放送されるテレビジョン番組の番組タイトルとが同一ではないと判断された場合に、前記報知手段を用いて、ユーザに該周期的に予約録画するテレビジョン番組の番組タイトルと、該周期的に予約録画するテレビジョン番組の次回の予約録画時間に放送されるテレビジョン番組の番組タイトルとが同一でない旨を報知することを特徴とする請求項１に記載の録画装置。
【請求項３】
ユーザによって操作され、前記番組リストの中からテレビジョン番組を選択するための番組選択手段をさらに備え、
前記制御手段は、前記番組リスト表示手段により前記番組リストを表示しているときに、ユーザが前記番組選択手段を用いて、該番組リストに表示しているテレビジョン番組の中から予約録画をしたいテレビジョン番組を選択すると、前記予約設定記憶手段に記憶された予約設定情報の内容を、選択されたテレビジョン番組の内容に変更することを特徴とする請求項１又は２に記載の録画装置。
【請求項４】
前記報知手段は、自装置の筐体外部に露出するように設けられた発光手段であり、該発光手段を点灯又は点滅させることにより、各種メッセージをユーザに報知することを特徴とする請求項１乃至３のいずれか一項に記載の録画装置。
【発明の詳細な説明】
【技術分野】
【０００１】
本発明は、テレビジョン番組の予約録画が可能な録画装置に関する。
【背景技術】
【０００２】
従来から、テレビジョン（以下、ＴＶという）番組を予約録画可能な録画装置が知られている。この種の録画装置では、予約録画したいＴＶ番組の放送時間やチャンネル等の予約設定情報が予め登録され、その予約設定情報の内容に基づいて予約録画を行う。また、予約設定情報には、毎週同じ時間に同じチャンネルで放送されるＴＶ番組を予約録画するという予約設定も登録できる。これは例えば、「毎週火曜日の２１：００〜２１：５６に放送されるＡチャンネルのＴＶ番組を予約録画する」という予約設定である。その場合、上記の録画装置は、毎週火曜日に２１：００〜２１：５６に放送されるＡチャンネルのＴＶ番組の予約録画を行う。すなわち、周期的に放送されているＴＶ番組を周期的に予約録画する予約設定ができるため、放送される毎に予約設定を行う必要がなくなり、予約設定の手間を省くことができる。
【０００３】
ところで、毎週予約録画の対象であるＴＶ番組の放送が終了して、同じ曜日の同じ時間に新しいＴＶ番組の放送が開始されることがある。その場合であっても、上記の録画装置では、予約設定情報の内容に基づいて、同じ曜日の同じ時間に予約録画を行うため、ユーザの意図しないＴＶ番組を録画してしまうことがある。
【０００４】
また、ＴＶ番組によっては、今週の放送時間と次週の放送時間とが異なることがある。その場合であっても、上記の録画装置では、予約設定情報の内容に基づいて、同じ曜日の同じ時間に予約録画を行うため、次週のＴＶ番組の一部分しか録画できていないということがあり、予約録画が失敗することがある。
【０００５】
これに対して、特許文献１には、毎日の予約、毎週の予約、あるいは毎月の予約がされたとき、放送局からあらかじめ送られている番組情報を分析して、次回の予約録画時間と同一時間帯の番組が所望の番組ではないときは、ユーザに注意のメッセージを出す予約型放送受信記録装置が開示されている。この予約型放送受信記録装置によれば、ある番組についての予約録画時間と次回の放送時間とが異なる場合、ユーザに注意のメッセージを出すため、ユーザは予約設定情報を変更することにより、予約録画の失敗を防ぐことができる。しかしながら、この予約型放送受信記録装置では、上記の注意メッセージを出す場合に、ユーザが、次回の放送時間を確認することができないため、次回の放送時間が分からず、予約設定情報を変更する際に次回の放送時間を調べる等の手間が掛かるという問題がある。
【０００６】
また、特許文献２には、ＥＰＧ情報から、予約録画された番組の放送時間帯に含まれる割合が最大の番組を特定し、特定した番組の放送開始時刻が予約番組の放送開始時刻と異なっていれば、予約録画の実行開始時刻を特定した番組の放送開始時刻に変更する番組予約装置が開示されている。しかしながら、この番組予約装置であっても、予約録画された番組の放送時間帯に放送されるＴＶ番組が新しいＴＶ番組に変わっていた場合に、新しいＴＶ番組を録画してしまうため、ユーザの意図しないＴＶ番組を録画してしまうという上記問題を解決できない。また、この番組予約装置では、予約録画された番組の予約録画時間と、この予約録画された番組の次回の放送時間とが異なっている場合に、ユーザは次回の放送時間を容易に知ることができないので、次回の放送時間を調べる等の手間が掛かるという上記問題も解決できない。
【０００７】
また、特許文献３には、ユーザによって指定された予約録画番組及び／又は視聴予約番組の放送日を示す日付欄に、所定の予約録画アイコン及び／又は視聴予約アイコンが表示され、かつ、ＨＤＤに記録されている録画済み番組の録画日を示す日付欄に、所定の録画済みアイコンが表示された番組カレンダーを作成するカレンダー作成プログラムと、当該作成された番組カレンダーを映像表示部に表示させるカレンダー表示制御プログラムと、を備える放送受信システムが開示されている。しかしながら、この放送受信システムであっても、ユーザによって指定された予約録画番組の予約録画時間と、この予約録画された番組の次回の放送時間とが異なっている場合に、ユーザは次回の放送時間を容易に知ることができないので、次回の放送時間を調べる等の手間が掛かるという上記問題を解決できない。
【０００８】
また、特許文献４には、録画時刻調整プログラムを実行することにより、次週の録画前に予め電子番組表を調査して、時間的ずれがないかを調べ、時間的ずれがない場合には、録画予定時刻に録画を開始し、時間的ずれや日付のずれがある場合には、予約録画情報を更新し、番組が放映されていないのが２回目であると、予約録画情報を削除する録画装置が開示されている。しかしながら、この録画装置であっても、予約録画番組の予約録画時間と、この予約録画番組の次回の放送時間とが異なっている場合に、ユーザは次回の放送時間を容易に知ることができないので、次回の放送時間を調べる等の手間が掛かるという上記問題を解決できない。
【先行技術文献】
【特許文献】
【０００９】
【特許文献１】特開２００６−３３３３９７号公報
【特許文献２】特開２００９−１１８０５０号公報
【特許文献３】特開２０１０−２１２８４７号公報
【特許文献４】特開２００８−１４８１９０号公報
【発明の概要】
【発明が解決しようとする課題】
【００１０】
本発明は、上述した問題点を解決するためになされたものであり、周期的に放送されるＴＶ番組を周期的に予約録画する場合において、このＴＶ番組の次回の放送時間が変更されている際に、変更された放送時間を容易に知ることができる録画装置を提供することを目的とする。
【課題を解決するための手段】
【００１１】
上記目的を達成するために請求項１の発明は、放送局から放送されるテレビジョン番組の放送時間と番組タイトルとを含む番組情報を取得する番組情報取得手段と、周期的に放送されるテレビジョン番組を周期的に予約録画するための、予約録画時間を含む予約設定情報を記憶する予約設定記憶手段と、各種メッセージをユーザに報知する報知手段と、装置各部を制御する制御手段とを備える録画装置において、前記予約設定記憶手段に記憶された前記周期的に予約録画するテレビジョン番組の予約録画時間と、前記番組情報取得手段を用いて取得した番組情報に含まれる、該周期的に予約録画するテレビジョン番組に対応する番組の次回の放送時間とが同一であるか否かを判断する番組時間判断手段と、前記予約設定記憶手段に記憶された前記周期的に予約録画するテレビジョン番組の予約録画時間付近に放送されるテレビジョン番組の情報と、前記番組情報取得手段を用いて取得した番組情報に含まれる、該周期的に予約録画するテレビジョン番組の次回の予約録画時間付近に放送されるテレビジョン番組の情報とを含む番組リストを表示する番組リスト表示手段とをさらに備え、前記制御手段は、前記番組時間判断手段によって、前記周期的に予約録画するテレビジョン番組の予約録画時間と、前記番組情報に含まれる、このテレビジョン番組に対応する番組の次回の放送時間とが同一ではないと判断された場合に、前記報知手段を用いて、ユーザに該周期的に予約録画するテレビジョン番組の次回の予約録画時間と、このテレビジョン番組に対応する番組の次回の放送時間とが同一ではない旨を報知するものである。
【００１２】
また、請求項２の発明は、請求項１に記載の録画装置において、前記予約設定記憶手段に記憶された前記周期的に予約録画するテレビジョン番組の番組タイトルと、前記番組情報取得手段を用いて取得した番組情報に含まれる、該周期的に予約録画するテレビジョン番組の次回の予約録画時間に放送されるテレビジョン番組の番組タイトルとが同一であるか否かを判断する番組タイトル判断手段をさらに備え、前記制御手段は、前記番組タイトル判断手段によって、前記周期的に予約録画するテレビジョン番組の番組タイトルと、前記番組情報に含まれる、該周期的に予約録画するテレビジョン番組の次回の予約録画時間に放送されるテレビジョン番組の番組タイトルとが同一ではないと判断された場合に、前記報知手段を用いて、ユーザに該周期的に予約録画するテレビジョン番組の番組タイトルと、該周期的に予約録画するテレビジョン番組の次回の予約録画時間に放送されるテレビジョン番組の番組タイトルとが同一でない旨を報知するものである。
【００１３】
また、請求項３の発明は、請求項１又は２に記載の録画装置において、ユーザによって操作され、前記番組リストの中からテレビジョン番組を選択するための番組選択手段をさらに備え、前記制御手段は、前記番組リスト表示手段により前記番組リストを表示しているときに、ユーザが前記番組選択手段を用いて、該番組リストに表示しているテレビジョン番組の中から予約録画をしたいテレビジョン番組を選択すると、前記予約設定記憶手段に記憶された予約設定情報の内容を、選択されたテレビジョン番組の内容に変更するものである。
【００１４】
また、請求項４の発明は、請求項１乃至３のいずれか一項に記載の録画装置において、前記報知手段は、自装置の筐体外部に露出するように設けられた発光手段であり、該発光手段を点灯又は点滅させることにより、各種メッセージをユーザに報知するものである。
【発明の効果】
【００１５】
請求項１の発明によれば、周期的に予約録画するテレビジョン番組の予約録画時間と、番組情報に含まれる、このテレビジョン番組に対応する番組の次回の放送時間とが同一ではないと判断された場合に、ユーザに周期的に予約録画するテレビジョン番組の次回の予約録画時間と、このテレビジョン番組に対応する番組の次回の放送時間とが同一ではない旨を報知する。そのため、ユーザは、周期的に予約録画するテレビジョン番組の放送時間が変更されている旨を容易に知ることができるので、予約録画設定を変更することにより、所望のテレビジョン番組の一部しか録画できないような予約録画の失敗を防ぐことができる。
【００１６】
また、請求項１の発明によれば、周期的に予約録画するテレビジョン番組の予約録画時間付近に放送されるテレビジョン番組の情報と、番組情報に含まれる、この周期的に予約録画するテレビジョン番組の次回の予約録画時間付近に放送されるテレビジョン番組の情報とを含む番組リストを表示することができる。そのため、ユーザは、周期的に予約録画するテレビジョン番組に対応する番組の次回の放送時間が変更されていると知ったときに、番組リストを表示させることによって、周期的に予約録画するテレビジョン番組の予約録画時間付近に放送されるテレビジョン番組の情報と、このテレビジョン番組の次回の予約録画時間付近に放送されるテレビジョン番組との両方を容易に知ることができるので、次回のテレビジョン番組の放送時間を容易に知ることができ、予約録画設定の予約録画時間を次回の放送時間に容易に変更をすることができる。
【００１７】
また、請求項２の発明によれば、周期的に予約録画するテレビジョン番組の番組タイトルと、番組情報に含まれる、この周期的に予約録画するテレビジョン番組の次回の予約録画時間に放送されるテレビジョン番組の番組タイトルとが同一ではないと判断された場合に、ユーザに該周期的に予約録画するテレビジョン番組の番組タイトルと、該周期的に予約録画するテレビジョン番組の次回の予約録画時間に放送されるテレビジョン番組の番組タイトルとが同一でない旨を報知する。そのため、ユーザは、周期的に予約録画するテレビジョン番組の番組タイトルと、該周期的に予約録画するテレビジョン番組の次回の予約録画時間に放送されるテレビジョン番組の番組タイトルとが同一でない旨を容易に知ることができるので、予約録画設定を変更することにより、意図しないテレビジョン番組が予約録画されることを防ぐことができる。
【００１８】
また、請求項３の発明によれば、番組リストを表示しているときに、ユーザが番組選択手段を用いて、番組リストに表示しているテレビジョン番組の中から予約録画をしたいテレビジョン番組を選択すると、予約設定情報の内容を、選択されたテレビジョン番組の内容に変更する。そのため、ユーザは番組リストを見ながら所望のテレビジョン番組を選択するだけで、予約設定情報の内容を容易に変更できるので、予約設定情報の内容を変更する際の手間を軽減できる。
【図面の簡単な説明】
【００１９】
【図１】本発明の一実施形態に係るＢＤレコーダと、ＴＶ受像機とを含むＡＶシステムを示す斜視図。
【図２】上記ＢＤレコーダの内部構成を示すブロック図。
【図３】上記ＴＶ受像機の内部構成を示すブロック図。
【図４】上記ＢＤレコーダにおける番組リスト生成処理の手順を示すフローチャート。
【図５】上記ＢＤレコーダにおける番組リスト表示処理の手順を示すフローチャート。
【図６】上記ＢＤレコーダによって表示される番組リストの一例を示す説明図。
【図７】上記ＢＤレコーダによって表示される番組リストの別の一例を示す説明図。
【図８】上記ＢＤレコーダによって表示される番組リストの別の一例を示す説明図。
【図９】上記番組リストを用いて予約録画時間を変更する際の手順を示す説明図。
【発明を実施するための形態】
【００２０】
以下、本発明の一実施形態に係るＢＤ（Ｂｌｕ−ｒａｙ  Ｄｉｓｃ）レコーダ（請求項における録画装置）について、図１乃至図３を参照して説明する。図１は、ＢＤレコーダ１と、テレビジョン（以下、ＴＶという）受像機２とを含むＡＶ（Ａｕｄｉｏ  ａｎｄ  Ｖｉｓｕａｌ）システム１００の外観を示す。図２は、ＢＤレコーダ１の電気的ブロック構成を示し、図３は、ＴＶ受像機２の電気的ブロック構成を示す。
【００２１】
ＢＤレコーダ１とＴＶ受像機２とは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ケーブル４を介して接続されている。ＢＤレコーダ１とＴＶ受像機２とは、いずれもＨＤＭＩに対応した機器であり、ＨＤＭＩ−ＣＥＣ（Ｃｏｎｓｕｍｅｒ  Ｅｌｅｃｔｒｏｎｉｃｓ  Ｃｏｎｔｒｏｌ）に基づくＣＥＣコマンドと、ＣＥＣコマンドに対するレスポンスデータとを送受信可能である。
【００２２】
ＨＤＭＩケーブル４は、映像信号及び音声信号等の伝送ラインであるＴＭＤＳ（Ｔｒａｎｓｉｔｉｏｎ  Ｍｉｎｉｍｉｚｅｄ  Ｄｉｆｆｅｒｅｎｔｉａｌ  Ｓｉｎｇｎａｌｉｎｇ）ラインと、ＣＥＣコマンドを双方向に伝送するための伝送ラインであるＣＥＣラインとを含むものである。
【００２３】
ＢＤレコーダ１は、放送局から放送されるＴＶ番組の予約録画や、録画したＴＶ番組の再生等を行うことができる。また、ＢＤレコーダ１は、再生したＴＶ番組等の映像信号及び音声信号を、ＨＤＭＩケーブル４を介してＴＶ受像機２に供給する。ＴＶ受像機２は、ＨＤＭＩケーブル４を介してＢＤレコーダ１から供給されたＴＶ番組等の映像をディスプレイ２４に表示し、音声をスピーカ２５から出力する。
【００２４】
ＢＤレコーダ１は、図２に示すように、アンテナ１１に接続され、デジタル放送信号を受信するチューナ部１２と、デコーダ部１３と、リモコン（番組選択手段）５（図１参照）から送信されるリモコン信号を受信するリモコン信号受信部１４と、ＨＤＭＩトランスミッタとして機能するＨＤＭＩ送信部１５とを備える。また、ＢＤレコーダ１は、各種情報を記憶したメモリ（予約設定記憶手段）１６と、チューナ部１２によって受信されたＴＶ番組を録画するハードディスク（以下、ＨＤＤという）１７と、ＨＤＤ１７に対するＴＶ番組の書き込みや読み出しを行うアクセス部１８と、ＬＥＤ部（報知手段、発光手段）１９と、装置各部を制御するためのメインマイコン（制御手段）１０とをさらに備える。
【００２５】
リモコン５は、複数のボタンを有し、ユーザによってボタンが操作されると各種動作指示をＢＤレコーダ１に対して行う。具体的には例えば、受信中のＴＶ番組の録画指示や、放送予定のＴＶ番組の予約録画設定の指示等を行うことができる。
【００２６】
チューナ部１２は、アンテナ１１を介して、放送局から配信される各チャンネルのデジタル放送信号を受信する。デジタル放送信号には、ＴＶ番組の映像信号及び音声信号と、放送局から配信されるＴＶ番組の放送時間、ジャンル、及び番組タイトル等の番組情報とが含まれている。
【００２７】
デコーダ部１３は、チューナ部１２によって受信されたデジタル放送信号に対して復調処理や誤り訂正処理等を行い、多重化された信号から必要なＴＳ（トランスポートストリーム）パケットを分離するＴＳ変換回路（図示せず）、分離した各ＴＳパケットに対して復号化処理を行う映像デコード回路（図示せず）、音声デコード回路（図示せず）、及びデータデコード回路（図示せず）等から構成される。
【００２８】
映像デコード回路は、映像信号を含むＴＳパケットに対して復号化処理を行い、映像信号を抽出し、抽出した映像信号をメインマイコン１０に出力する。音声デコード回路は、音声信号を含むＴＳパケットに対して復号化処理を行い、音声信号を抽出し、抽出した音声信号をメインマイコン１０に出力する。
【００２９】
データデコード回路は、ＳＩ（Ｓｅｒｖｉｃｅ  Ｉｎｆｏｒｍａｔｉｏｎ）データを含むＴＳパケットに対して復号化処理を行い、ＳＩデータを抽出し、抽出したＳＩデータをメインマイコン１０に出力する。ＳＩデータは、ＴＶ番組の番組情報が格納されたＥＩＴ（Ｅｖｅｎｔ  Ｉｎｆｏｒｍａｔｉｏｎ  Ｔａｂｌｅ）等を有している。
【００３０】
リモコン信号受信部１４は、リモコン５から受信した赤外線信号を電気信号に変換してメインマイコン１０に転送する。
【００３１】
ＨＤＭＩ送信部１５には、ＴＶ受像機２と接続されたＨＤＭＩケーブル４が接続されている。ＨＤＭＩ送信部１５は、ＨＤＭＩトランスミッタとして機能し、ＨＤＤ１７から読み出したコンテンツの映像や、番組リスト１６ｄの映像を、ＨＤＭＩケーブル４を介してＴＶ受像機２に送信する処理を行う。
【００３２】
メモリ１６は、メインマイコン１０を動作させるためのプログラム１６ａと、ＥＩＴの内容に基づく情報が格納された番組情報１６ｂと、予約録画を行うＴＶ番組の情報が格納された予約設定情報１６ｃと、後述する番組リスト生成表示部１０ｆによって生成される番組リスト１６ｄとを格納している。
【００３３】
予約設定情報１６ｃには、予約録画するためのＴＶ番組の情報が記憶されている。具体的には例えば、「５月１日の午後８時から午後８時５４分までＡチャンネルのドラマＡを予約録画する」という予約設定である。また、予約設定情報１６ｃには、周期的に放送されるＴＶ番組を周期的に予約録画するための情報も記憶される。具体的には、予約設定情報１６ｃには、例えば、ＴＶ番組が毎週放送される場合に、このＴＶ番組を毎週予約録画するための「毎週予約録画」の予約設定や、所定のＴＶ番組が毎日放送される場合に、このＴＶ番組を毎日予約録画するための「毎日予約録画」の予約設定があり、「毎週火曜日の午後８時から午後８時５４分までＢチャンネルのドラマＢを予約録画する」という予約設定も記憶される。
【００３４】
ＬＥＤ部１９は、ＢＤレコーダ１の筐体外部に露出するように設けられ、後述する点灯制御部１０ｇによる制御に従って点灯や点滅を行うことにより、ユーザに各種のメッセージを報知する。
【００３５】
メインマイコン１０は、再生制御部１０ａと、録画制御部１０ｂと、番組情報取得部（番組情報取得手段）１０ｃと、番組時間判断部（番組時間判断手段）１０ｄと、番組タイトル判断部（番組タイトル判断手段）１０ｅと、番組リスト生成表示部（番組リスト表示手段）１０ｆと、点灯制御部１０ｇとを有し、ユーザによるリモコン５の操作に基づいてＢＤレコーダ１の制御処理を行う。
【００３６】
再生制御部１０ａは、アクセス部１８によってＨＤＤ１７から読み出されたＴＶ番組の再生を行い、再生されたＴＶ番組の映像信号及び音声信号を、ＨＤＭＩケーブル４を介してＴＶ受像機２に供給する処理を行う。録画制御部１０ｂは、ユーザによる録画指示や予約設定情報１６ｃの内容に基づき、チューナ部１２によって受信されたＴＶ番組を、アクセス部１８を用いてＨＤＤ１７に録画する処理を行う。
【００３７】
番組情報取得部１０ｃは、デコーダ部１３から受信したＥＩＴに基づき、ＴＶ番組の番組タイトルや放送時間等の情報を取得して、メモリ１６の番組情報１６ｂに記憶する処理を行う。
【００３８】
番組時間判断部１０ｄは、予約設定情報１６ｃに記憶された周期的に予約録画するＴＶ番組の予約録画時間と、番組情報１６ｂに含まれる、この周期的に予約録画するＴＶ番組に対応する番組の次回の放送時間とが同一であるか否かを判断する。具体的には例えば、予約設定情報１６ｃに「毎週火曜日の午後８時から午後８時５４分までＢチャンネルのドラマＢを予約録画する」という予約設定が記憶されている場合、番組情報１６ｂの内容に基づいて、来週（次回）の火曜日のＢチャンネルのドラマＢの放送時間が「午後８時から午後８時５４分まで」であるか否かを判断し、午後８時から午後８時５４分である場合、予約録画時間と放送時間とが同一であると判断する。
【００３９】
番組タイトル判断部１０ｅは、予約設定情報１６ｃに記憶された周期的に予約録画するＴＶ番組の番組タイトルと、番組情報１６ｂに含まれる、この周期的に予約録画するＴＶ番組の次回の予約録画時間に放送されるＴＶ番組の番組タイトルとが同一であるか否かを判断する。具体的には例えば、予約設定情報１６ｃに「毎週火曜日の午後８時から午後８時５４分までＢチャンネルのドラマＢを予約録画する」という予約設定が記憶されている場合、番組情報１６ｂに含まれる、来週（次回）の火曜日のＢチャンネルで午後８時から午後８時５４分まで放送されるＴＶ番組の番組タイトルが「ドラマＢ」であるか否かを判断し、「ドラマＢ」である場合、番組タイトルが同一であると判断する。
【００４０】
番組リスト生成表示部１０ｆは、予約設定情報１６ｃに記憶された周期的に予約録画するＴＶ番組の予約録画時間付近に放送されるＴＶ番組の情報と、番組情報１６ｂに含まれる、この周期的に予約録画するＴＶ番組の次回の予約録画時間付近に放送されるＴＶ番組の情報とを含む番組リスト１６ｄを生成して、メモリ１６に格納する。予約設定情報１６ｃに記憶された周期的に予約録画するＴＶ番組の予約録画時間付近に放送されるＴＶ番組の情報とは、例えば、前回の予約録画時間の付近に放送されるＴＶ番組の情報である。
【００４１】
また、番組リスト生成表示部１０ｆは、ユーザによって番組リスト１６ｄの表示が指示されると、メモリ１６に格納した番組リスト１６ｄを読み取った後、番組リスト１６ｄを表示するための映像信号を、ＨＤＭＩケーブル４を介してＴＶ受像機２に供給して、番組リスト１６ｄを表示する。
【００４２】
点灯制御部１０ｇは、ＬＥＤ部１９の点灯の制御を行う。具体的には例えば、番組時間判断部１０ｄによって、予約録画時間と次回の放送時間が同一ではないと判断されたときにＬＥＤ部１９を点灯させる。また、点灯制御部１０ｇは、番組タイトル判断部１０ｅによって、周期的に予約録画を行うＴＶ番組の番組タイトルと、このＴＶ番組の次回の予約録画時間に放送されるＴＶ番組の番組タイトルとが同一ではないと判断されたときにＬＥＤ部１９を点滅させる。
【００４３】
ＴＶ受像機２は、図３に示すように、アンテナ２１に接続され、デジタル放送信号を受信するチューナ部２２と、デコーダ部２３と、映像を表示するディスプレイ２４と、音声を出力するスピーカ２５と、ユーザによって操作される複数のボタンを有する操作部２６とを備える。また、ＴＶ受像機２は、ＨＤＭＩレシーバとして機能するＨＤＭＩ受信部２７と、各種情報を記憶したメモリ２８と、装置各部を制御するためのメインマイコン２０とをさらに備える。
【００４４】
チューナ部２２は、アンテナ２１を介して、放送局から配信される各チャンネルのデジタル放送信号を受信する。デジタル放送信号には、ＴＶ番組の映像信号及び音声信号と、配信されるＴＶ番組の番組タイトル等の番組情報とが含まれている。
【００４５】
デコーダ部２３は、チューナ部２２によって受信されたデジタル放送信号に対して復調処理や誤り訂正処理等を行い、多重化された信号から必要なＴＳパケットを分離するＴＳ変換回路（図示せず）、分離した各ＴＳパケットに対して復号化処理を行う映像デコード回路（図示せず）、音声デコード回路（図示せず）、及びデータデコード回路（図示せず）等から構成される。
【００４６】
映像デコード回路は、映像信号を含むＴＳパケットに対して復号化処理を行い、映像信号を抽出し、抽出した映像信号をメインマイコン２０に出力する。音声デコード回路は、音声信号を含むＴＳパケットに対して復号化処理を行い、音声信号を抽出し、抽出した音声信号をメインマイコン２０に出力する。データデコード回路は、ＳＩデータを含むＴＳパケットに対して復号化処理を行い、ＳＩデータを抽出し、抽出したＳＩデータをメインマイコン２０に出力する。
【００４７】
ディスプレイ２４は、チューナ部２２によって受信されたＴＶ番組の映像や、ＢＤレコーダ１から供給されたＴＶ番組の映像や番組リスト１６ｄ（図２参照）の映像を表示する。スピーカ２５は、チューナ部２２によって受信されたＴＶ番組の音声や、ＢＤレコーダ１から供給された音声を出力する。
【００４８】
ＨＤＭＩ受信部２７には、ＢＤレコーダ１と接続されたＨＤＭＩケーブル４の他端が接続されている。ＨＤＭＩ受信部２７は、ＨＤＭＩレシーバとして機能し、ＨＤＭＩケーブル４を介してＢＤレコーダ１から供給された映像信号や音声信号を受信する処理を行う。
【００４９】
メモリ２８は、メインマイコン２０を動作させるためのプログラム２８ａを格納している。
【００５０】
メインマイコン２０は、ユーザによる操作部２６の操作に基づいてＴＶ受像機２の制御処理を行う。具体的には、メインマイコン２０は、デコーダ部２３から受信したＴＶ番組の映像信号や、ＢＤレコーダ１から供給された映像信号をディスプレイ２４に出力する処理や、デコーダ部２３から受信したＴＶ番組の音声信号や、ＢＤレコーダ１から供給された音声信号をスピーカ２５に出力する処理を行う。
【００５１】
次に、ＢＤレコーダ１における番組リスト１６ｄの生成処理の手順について、図４に示すフローチャートを参照して説明する。ここでは、予約設定情報１６ｃに、毎週予約録画を行う予約設定が記憶されているものとする。なお、本処理は、予約録画の開始タイミングや、番組情報１６ｂの取得タイミングで開始されるものである。
【００５２】
まず、メインマイコン１０は、予約設定情報１６ｃに記憶された周期的に予約録画するＴＶ番組の予約録画時間を取得すると共に（Ｓ１）、このＴＶ番組の番組タイトルを予約設定情報１６ｃから取得し（Ｓ２）、番組リスト生成表示部１０ｆを用いて、このＴＶ番組の前回の予約録画時間付近に放送されるＴＶ番組の情報と、番組情報１６ｂに含まれる、この周期的に予約録画するＴＶ番組の次回の予約録画時間付近に放送されるＴＶ番組の情報とを含む番組リスト１６ｄを生成して、メモリ１６に格納する。
【００５３】
具体的には例えば、メインマイコン１０は、予約設定情報１６ｃに「毎週火曜日の午後８時から午後８時５４分までＢチャンネルのドラマＢについて予約録画する」設定が記憶されている場合、予約録画時間として「午後８時から午後８時５４分」を取得し（上記Ｓ１に相当）、番組タイトルとして「ドラマＢ」を取得する（上記Ｓ２に相当）。そして、予約録画を行った前週（前回）の火曜日の午後８時から午後８時５４分付近に放送されたＴＶ番組の情報と、次週（次回）の火曜日の午後８時から午後８時５４分付近に放送されるＴＶ番組の情報とを含む番組リスト１６ｄを生成して、メモリ１６に格納する（上記Ｓ３に相当）。
【００５４】
そして、メインマイコン１０は、番組タイトル判断部１０ｅを用いて、周期的に予約録画するＴＶ番組の番組タイトルと、次回の予約録画時間に放送されるＴＶ番組の番組タイトルとが同一であるか否かを判断する（Ｓ４）。具体的には、予約設定情報１６ｃに「毎週火曜日の午後８時から午後８時５４分までＢチャンネルのドラマＢについて予約録画する」設定が記憶されている場合、次週（次回）の火曜日の午後８時から午後８時５４分に放送されるＴＶ番組の番組タイトルが「ドラマＢ」であるか判断する（上記Ｓ４に相当）。
【００５５】
上記Ｓ４の判断の結果、番組タイトルが同じでない場合（Ｓ５でＮＯ）、メインマイコン１０は、点灯制御部１０ｇを用いて、ＬＥＤ部１９を点滅させ、ユーザに次回の番組タイトルが異なる、すなわち、変更されている旨を知らせる（Ｓ６）。
【００５６】
一方、上記Ｓ４の判断の結果、番組タイトルが同じである場合（Ｓ５でＹＥＳ）、メインマイコン１０は、番組時間判断部１０ｄを用いて、周期的に予約録画するＴＶ番組の予約録画時間と、このＴＶ番組に対応する番組の次回の放送時間とが同一であるか否かを判断する（Ｓ７）。具体的には例えば、予約設定情報１６ｃに「毎週火曜日の午後８時から午後８時５４分までＢチャンネルのドラマＢを予約録画する」設定が記憶されている場合、番組情報１６ｂの内容に基づいて、次週（次回）の火曜日に放送されるドラマＢの放送時間が「午後８時から午後８時５４分まで」であるか否かを判断し、「午後８時から午後８時５４分」である場合、放送時間が同一であると判断する（上記Ｓ７に相当）。
【００５７】
上記Ｓ７の判断の結果、予約録画時間と、次回の放送時間とが同一でない場合（Ｓ８でＮＯ）、メインマイコン１０は、点灯制御部１０ｇを用いて、ＬＥＤ部１９を点灯させ、ユーザに次回の放送時間が異なる旨を知らせる（Ｓ９）。
【００５８】
次に、ＢＤレコーダ１における番組リスト１６ｄの表示処理について、図５に示すフローチャートを参照して説明する。ここでは、予めメモリ１６に番組リスト１６ｄが格納されているものとする。
【００５９】
まず、ユーザによってリモコン５が操作され、番組リスト１６ｄの表示が指示されると（Ｓ１１）、メインマイコン１０は、番組リスト生成表示部１０ｆを用いて、ＴＶ受像機２のディスプレイ２４に番組リスト１６ｄを表示する（Ｓ１２）。このとき、ユーザによって予約録画時間が変更されると（Ｓ１３でＹＥＳ）、メインマイコン１０は、メモリ１６の予約設定情報１６ｃ中の、予約録画時間が変更される予約設定に対応する内容を破棄した後（Ｓ１４）、変更された予約録画時間を予約設定情報１６ｃに登録する（Ｓ１５）。
【００６０】
具体的には例えば、予約設定情報１６ｃに「毎週火曜日の午後８時から午後８時５４分までＢチャンネルのドラマＢを予約録画する」設定が記憶されている場合を考える。この場合、予約録画時間は「午後８時から午後８時５４分まで」である。ユーザによって予約録画時間が「午後８時３０分から午後９時２４分まで」に変更されたとき（上記Ｓ１３でＹＥＳに相当）、メインマイコン１０は、予約設定情報１６ｃに現在記憶された内容を破棄した後に（上記Ｓ１４に相当）、新しく「毎週火曜日の午後８時３０分から午後９時２４分までＢチャンネルのドラマＢを予約録画する」という内容を予約設定情報１６ｃに記憶する（上記Ｓ１５に相当）。なお、番組リスト１６ｄの表示処理は、上記図４に示した番組リスト生成処理において、予約録画時間が同一でない場合や、番組タイトルが同一でない場合に、番組リスト１６ｄの表示処理を行うか否かの選択を促すメッセージを表示させて、ユーザによって表示が選択された時に表示を行うものであってもよい。
【００６１】
次に、ＢＤレコーダ１によって表示される番組リスト１６ｄの例について、図６乃至図８を参照して説明する。図６乃至図８はいずれも番組リスト１６ｄの例である。Ａ１は、毎週火曜日の１０時３０分から１１時００分まで予約録画を行うＴＶ番組を示す。Ｂ１は、ＴＶ番組Ａ１の前回の予約録画時間付近に放送されたＴＶ番組の情報（以下、ＴＶ番組情報という）を示し、Ｂ１´は、ＴＶ番組Ａ１の来週（次回）の予約録画時間付近に放送されるＴＶ番組情報を示す。Ａ２は、毎週火曜日の２０時３０分から２１時３０分まで予約録画を行うＴＶ番組を示す。Ｂ２は、ＴＶ番組Ａ２の前回の予約録画時間付近に放送されたＴＶ番組情報を示し、Ｂ２´は、ＴＶ番組Ａ２の来週（次回）の予約録画時間付近に放送されるＴＶ番組情報を示す。
【００６２】
時間枠Ａ〜ＪとＡ´〜Ｊ´は、それぞれ１つの番組の放送開始時間から放送終了時間を示すものである。時間枠Ｃは、ＴＶ番組Ａ１の前回の放送時間に対応する時間枠であり、時間枠Ｃ´は、ＴＶ番組Ａ１の次回の放送時間に対応する時間枠である。時間枠Ｉは、ＴＶ番組Ａ２の前回の放送時間に対応する時間枠であり、時間枠Ｉ´は、ＴＶ番組Ａ２の次回の放送時間に対応する時間枠である。
【００６３】
図６に示す番組リスト１６ｄは、ＴＶ番組Ａ１と、ＴＶ番組情報Ｂ１及びＢ１´とを上部に表示し、ＴＶ番組Ａ２と、ＴＶ番組Ｂ２及びＢ２´とを下部に表示し、これらを一画面で表示するものである。ユーザは、この番組リスト１６ｄを見ることにより、ＴＶ番組Ａ１の予約録画時間（１０：３０〜１１：００）と、次回のＴＶ番組Ａ１の放送時間を示す時間枠Ｃ´（１０：１５〜１０：４５）とが異なっていることが一目で分かる。また、ＴＶ番組Ａ２の予約録画時間（２０：３０〜２１：３０）が、次回のＴＶ番組Ａ２の放送時間を示す時間枠Ｉ´（２０：３０〜２２：００）と異なっていることも一目で分かる。
【００６４】
図７に示す番組リスト１６ｄでは、ＴＶ番組Ａ１と、ＴＶ番組情報Ｂ１及びＢ１´とを表示している。ここでは、時間枠Ｃ´において、ＴＶ番組Ａ１の次回の放送開始時間を示す箇所Ｄ１の表示形式が他と異なっている。これにより、ＴＶ番組Ａ１の予約録画時間（１０：３０〜１１：００）と、次回のＴＶ番組Ａ１の放送時間を示す時間枠Ｃ´（１０：１５〜１０：４５）とが異なっていることが容易に分かり、さらに、次回のＴＶ番組Ａ１の放送開始時間が、ＴＶ番組Ａ１の予約録画時間の開始時間よりも早いことも容易に分かる。
【００６５】
図８に示す番組リスト１６ｄでは、ＴＶ番組Ａ２と、ＴＶ番組情報Ｂ２及びＢ２´とを表示している。ここでは、時間枠Ｉ´において、ＴＶ番組Ａ２の予約録画時間よりも延長されている箇所Ｄ２の表示形式が他と異なっている。これにより、ＴＶ番組Ａ２の予約録画時間（２０：３０〜２１：３０）が、次回のＴＶ番組Ａ２の放送時間を示す時間枠Ｉ´（２０：３０〜２２：００）と異なっていることが容易に分かり、さらに、次回のＴＶ番組Ａ２の放送終了時間が、ＴＶ番組Ａ２の予約録画時間の終了時間よりも遅いことも容易に分かる。
【００６６】
次に、番組リスト１６ｄによる予約録画時間を変更する際の手順について、図９を参照して説明する。図９は、上記図７に示した番組リスト１６ｄ上に、カーソルＫを表示したものであり、前述した符号と同一符号は同じ構成を示し、その説明を省略する。
【００６７】
ユーザはリモコン５を操作することにより、カーソルＫを移動させて、ＴＶ番組Ａ１の次回の放送時間に対応する時間枠Ｃ´にカーソルＫを重ねる。そして、リモコン５の「決定」ボタンを押下すると、メインマイコン１０が、予約録画時間を変更する。具体的には、メモリ１６の「毎週火曜日の１０時３０分から１１時００分まで」という予約録画時間を、「毎週火曜日の１０時１５分から１０時４５分まで」に変更する。
【００６８】
上述したように、本実施形態に係るＢＤレコーダ１においては、周期的に予約録画するＴＶ番組の予約録画時間と、番組情報１６ｂに含まれる、このＴＶ番組に対応する番組の次回の放送時間とが同一ではないと判断された場合に、ユーザに周期的に予約録画するＴＶ番組の次回の予約録画時間と、このＴＶ番組に対応する番組の次回の放送時間とが同一ではない旨をＬＥＤ部１９を点灯させることにより報知する。そのため、ユーザは、周期的に予約録画するＴＶ番組の放送時間が変更されている旨を容易に知ることができるので、予約設定情報１６ｃを変更することにより、所望のＴＶ番組の一部しか録画できないような予約録画の失敗を防ぐことができる。
【００６９】
また、ＢＤレコーダ１においては、周期的に予約録画するＴＶ番組の予約録画時間付近に放送される前回のＴＶ番組の情報と、番組情報１６ｂに含まれる、この周期的に予約録画するＴＶ番組の次回の予約録画時間付近に放送されるＴＶ番組の情報とを含む番組リスト１６ｄを表示することができる。そのため、ユーザは、周期的に予約録画するＴＶ番組に対応する番組の次回の放送時間が変更されていると知ったときに、番組リスト１６ｄを表示させることによって、周期的に予約録画するＴＶ番組の予約録画時間付近に放送されるＴＶ番組の情報と、このＴＶ番組の次回の予約録画時間付近に放送されるＴＶ番組の情報との両方を容易に知ることができるので、次回のＴＶ番組の放送時間を容易に知ることができ、予約設定情報１６ｃの予約録画時間を次回の放送時間に容易に変更することができる。
【００７０】
また、ＢＤレコーダ１においては、周期的に予約録画するＴＶ番組の番組タイトルと、番組情報１６ｂに含まれる、この周期的に予約録画するＴＶ番組の次回の予約録画時間に放送されるＴＶ番組の番組タイトルとが同一ではないと判断された場合に、ユーザに該周期的に予約録画するＴＶ番組の番組タイトルと、該周期的に予約録画するＴＶ番組の次回の予約録画時間に放送されるＴＶ番組の番組タイトルとが同一でない旨を報知する。そのため、ユーザは、周期的に予約録画するＴＶ番組の番組タイトルと、該周期的に予約録画するＴＶ番組の次回の予約録画時間に放送されるＴＶ番組の番組タイトルとが同一でない旨を容易に知ることができるので、予約設定情報１６ｃを変更することにより、意図しないＴＶ番組が予約録画されることを防ぐことができる。
【００７１】
また、ＢＤレコーダ１においては、番組リスト１６ｄを表示しているときに、ユーザがリモコン５を用いて、番組リスト１６ｄに表示しているＴＶ番組の中から予約録画をしたいＴＶ番組を選択すると、予約設定情報１６ｃの内容を、選択されたＴＶ番組の内容に変更する。そのため、ユーザは番組リスト１６ｄを見ながら所望のＴＶ番組を選択するだけで、予約設定情報１６ｃの内容を容易に変更できるので、予約設定情報１６ｃの内容を変更する際の手間を軽減できる。
【００７２】
なお、本発明は、上記実施形態の構成に限られず、発明の趣旨を変更しない範囲で種々の変形が可能である。例えば、上記実施形態において、請求項に示す録画装置がＢＤレコーダである例を示したが、これに限られず、周期的に放送されるＴＶ番組を周期的に予約録画可能な録画装置であればよい。
【００７３】
また、請求項に示す報知手段が、ＬＥＤ部である例を示したが、音声を出力するスピーカや、警告メッセージをディスプレイに表示するものであってもよい。
【符号の説明】
【００７４】
５  リモコン（番組選択手段）
１０  メインマイコン（制御手段）
１６  メモリ（予約設定記憶手段）
１９  ＬＥＤ部（報知手段、発光手段）
１０ｃ  番組情報取得部（番組情報取得手段）
１０ｄ  番組時間判断部（番組時間判断手段）
１０ｅ  番組タイトル判断部（番組タイトル判断手段）
１０ｆ  番組リスト生成表示部（番組リスト表示手段）
１６ｂ  番組情報
１６ｃ  予約設定情報
１６ｄ  番組リスト
【図１】
2012235347.tif 000003
【図２】
2012235347.tif 000004
【図３】
2012235347.tif 000005
【図４】
2012235347.tif 000006
【図５】
2012235347.tif 000007
【図６】
2012235347.tif 000008
【図７】
2012235347.tif 000009
【図８】
2012235347.tif 000010
【図９】
2012235347.tif 000011